(57)【要約】  画像データ取得部（１０２）は、撮影機器が撮影した画像データを取得する。識別情報取得部（１０１）は、画像データが取得されたときに、無線通信される機器の識別情報を取得する。画像データ記憶部（１０４）は、取得された画像データと、画像データが取得されたときに取得された識別情報と、を対応付けて記憶する。識別情報取得部（１０１）は、画像データ記憶部（１０４）が画像データと識別情報とを対応付けて記憶した後の所定のタイミングにおいて、無線通信される機器の識別情報を取得する。検索部（１０６）は、取得された識別情報に対応付けられている画像データを、画像データ記憶部（１０４）に記憶されている画像データの中から検索する。表示制御部（１０７）は、検索された画像データを表示部に表示させる。
2010061889.tif 000002
【特許請求の範囲】
【請求項１】
少なくとも１の機器と無線通信する無線通信手段と、
前記無線通信手段により無線通信される機器の識別情報を取得する識別情報取得手段と、
前記無線通信手段により無線通信される機器のうちの撮影機器が撮影した画像データを取得する画像データ取得手段と、
前記画像データ取得手段により前記画像データが取得されたときに、前記識別情報取得手段に前記識別情報を取得させる第１の識別情報取得制御手段と、
前記画像データ取得手段により取得された前記画像データと、当該画像データが取得されたときに前記第１の識別情報取得制御手段の制御により取得された前記識別情報と、を対応付けて記憶する画像データ記憶手段と、
前記画像データ記憶手段が前記画像データと前記識別情報とを対応付けて記憶した後の所定のタイミングにおいて、前記識別情報取得手段に前記識別情報を取得させる第２の識別情報取得制御手段と、
前記第２の識別情報取得制御手段の制御により取得された前記識別情報に対応付けられている画像データを、前記画像データ記憶手段に記憶されている前記画像データの中から検索する検索手段と、
前記検索手段により検索された画像データを表示部に表示させる表示制御手段と、
を備えることを特徴とする携帯端末装置。
【請求項２】
前記無線通信手段により無線通信される機器のうちの表示機器が、前記表示部を含み、
前記表示制御手段は、前記画像データを、前記表示機器に送信し、当該表示機器において当該画像データを表示させる、
ことを特徴とする請求項１に記載の携帯端末装置。
【請求項３】
ユーザの操作を受け付ける操作手段をさらに備え、
前記第２の識別情報取得制御手段は、前記操作手段により所定の操作が受け付けられたタイミングにおいて、前記識別情報取得手段に前記識別情報を取得させる、
ことを特徴とする請求項１に記載の携帯端末装置。
【請求項４】
少なくとも１の機器と無線通信する無線通信手段と、
前記無線通信手段により無線通信される機器の識別情報を取得する識別情報取得手段と、
被写体を撮影して画像データを取得する画像データ取得手段と、
前記画像データ取得手段により前記画像データが取得されたときに、前記識別情報取得手段に前記識別情報を取得させる第１の識別情報取得制御手段と、
前記画像データ取得手段により取得された前記画像データと、当該画像データが取得されたときに前記第１の識別情報取得制御手段の制御により取得された前記識別情報と、を対応付けて記憶する画像データ記憶手段と、
前記画像データ記憶手段が前記画像データと前記識別情報とを対応付けて記憶した後の所定のタイミングにおいて、前記識別情報取得手段に前記識別情報を取得させる第２の識別情報取得制御手段と、
前記第２の識別情報取得制御手段の制御により取得された前記識別情報に対応付けられている画像データを、前記画像データ記憶手段に記憶されている前記画像データの中から検索する検索手段と、
前記検索手段により検索された画像データを表示部に表示させる表示制御手段と、
を備えることを特徴とする携帯端末装置。
【請求項５】
複数の携帯端末装置と、デジタルカメラと、を備え、前記複数の携帯端末装置のうちの１の携帯端末装置である主携帯端末装置が、少なくとも１の他の携帯端末装置及び前記デジタルカメラと無線通信により接続された画像表示システムであって、
前記主携帯端末装置は、
前記少なくとも１の他の携帯端末装置及び前記デジタルカメラと無線通信する無線通信手段と、
前記無線通信手段により無線通信される携帯端末装置の識別情報を取得する識別情報取得手段と、
前記無線通信手段により無線通信される前記デジタルカメラが撮影した画像データを取得する画像データ取得手段と、
前記画像データ取得手段により前記画像データが取得されたときに、前記識別情報取得手段に前記識別情報を取得させる第１の識別情報取得制御手段と、
前記画像データ取得手段により取得された前記画像データと、当該画像データが取得されたときに前記第１の識別情報取得制御手段の制御により取得された前記識別情報と、を対応付けて記憶する画像データ記憶手段と、
前記画像データ記憶手段が前記画像データと前記識別情報とを対応付けて記憶した後の所定のタイミングにおいて、前記識別情報取得手段に前記識別情報を取得させる第２の識別情報取得制御手段と、
前記第２の識別情報取得制御手段の制御により取得された前記識別情報に対応付けられている画像データを、前記画像データ記憶手段に記憶されている前記画像データの中から検索する検索手段と、
前記検索手段により検索された画像データを表示部に表示させる表示制御手段と、
を備えることを特徴とする画像表示システム。
【請求項６】
前記主携帯端末装置と無線通信により接続されるデジタルフォトフレームをさらに備え、
前記デジタルフォトフレームが、前記表示部を含み、
前記主携帯端末装置の表示制御手段は、前記画像データを前記デジタルフォトフレームに送信し、当該デジタルフォトフレームにおいて当該画像データを表示させる、
ことを特徴とする請求項５に記載の画像表示システム。
【請求項７】
前記主携帯端末装置の画像データ記憶手段が対応付けて記憶する前記画像データと前記識別情報とが、前記デジタルカメラの記憶領域に記憶される、
ことを特徴とする請求項５に記載の画像表示システム。
【請求項８】
携帯端末装置が、該携帯端末装置と無線通信により接続される機器のうちの撮影機器が撮影した画像データを取得する画像データ取得工程と、
前記画像データ取得工程で前記画像データが取得されたときに、前記携帯端末装置が、該携帯端末装置と無線通信により接続される機器の識別情報を取得する第１の識別情報取得工程と、
前記携帯端末装置が、前記画像データ取得工程で取得された前記画像データと、当該画像データが取得されたときに前記第１の識別情報取得工程で取得された前記識別情報と、を対応付けて記憶部に記録する画像データ記録工程と、
前記画像データ記録工程で前記画像データと前記識別情報とを対応付けて前記記憶部に記録した後の所定のタイミングにおいて、前記携帯端末装置が、該携帯端末装置と無線通信により接続される機器の前記識別情報を取得する第２の識別情報取得工程と、
前記携帯端末装置が、前記第２の識別情報取得工程で取得された前記識別情報に対応付けられている画像データを、前記画像データ記録工程で前記記憶部に記録された前記画像データの中から検索する検索工程と、
前記携帯端末装置が、前記検索工程で検索された画像データを表示部に表示させる表示制御工程と、
を備えることを特徴とする画像表示方法。
【請求項９】
コンピュータを、
少なくとも１の機器と無線通信する無線通信手段、
前記無線通信手段により無線通信される機器の識別情報を取得する識別情報取得手段、
前記無線通信手段により無線通信される機器のうちの撮影機器が撮影した画像データを取得する画像データ取得手段、
前記画像データ取得手段により前記画像データが取得されたときに、前記識別情報取得手段に前記識別情報を取得させる第１の識別情報取得制御手段、
前記画像データ取得手段により取得された前記画像データと、当該画像データが取得されたときに前記第１の識別情報取得制御手段の制御により取得された前記識別情報と、を対応付けて記憶する画像データ記憶手段、
前記画像データ記憶手段が前記画像データと前記識別情報とを対応付けて記憶した後の所定のタイミングにおいて、前記識別情報取得手段に前記識別情報を取得させる第２の識別情報取得制御手段、
前記第２の識別情報取得制御手段の制御により取得された前記識別情報に対応付けられている画像データを、前記画像データ記憶手段に記憶されている前記画像データの中から検索する検索手段と、
前記検索手段により検索された画像データを表示部に表示させる表示制御手段、
として機能させるためのプログラムを記録したコンピュータ読み取り可能な記録媒体。
【発明の詳細な説明】
【技術分野】
【０００１】
本発明は、携帯端末装置、画像表示システム、画像表示方法、及びコンピュータ読み取り可能な記録媒体に関する。
【背景技術】
【０００２】
近年、デジタルカメラ等のメモリが大容量化している。このメモリの大容量化により、デジタルカメラは、大量の画像データをメモリに保存することができる。その一方で、メモリ内の画像データの中からユーザが所望の画像を検索するための手間や時間が、メモリの大容量化に伴い大きくなっている。【０００３】
このため、例えば、ユーザが、メモリ内の大量の画像データの中から所望の画像データを探す場合、多くの画像データをデジタルカメラの液晶画面に表示させて、目視で確認する必要がある。【０００４】
このような確認を容易にするための技術として、例えば、特許文献１に記載の写真撮影システムがある。この写真撮影システムにおいては、デジタルカメラで撮影された画像データが、無線ＬＡＮ経由で画像確認用のモニター装置に送信され、モニター装置に表示される。
【先行技術文献】
【特許文献】
【０００５】
【特許文献１】特開２００６−２９５２５５号公報
【発明の概要】
【発明が解決しようとする課題】
【０００６】
しかし、特許文献１に記載の写真撮影システムを用いても、ユーザは、多くの画像を目視しなければならず、所望の画像を検索するための手間や時間は、依然として大きい。
また、特許文献１に記載の写真システムを用いた場合には、モニター装置に表示される画像を複数人で見て所望の画像を探すことができるが、見ている者に関係のない画像までも表示されてしまう可能性がある。【０００７】
本発明は、上記問題点に鑑みてなされたもので、ユーザが、撮影された画像の中から所望の画像をより容易に検索することができる携帯端末装置、画像表示システム、画像表示方法、及びコンピュータ読み取り可能な記録媒体を提供することを目的とする。
【課題を解決するための手段】
【０００８】
上記目的を達成するため、本発明の第１の観点に係る携帯端末装置は、
少なくとも１の機器と無線通信する無線通信手段と、
前記無線通信手段により無線通信される機器の識別情報を取得する識別情報取得手段と、
前記無線通信手段により無線通信される機器のうちの撮影機器が撮影した画像データを取得する画像データ取得手段と、
前記画像データ取得手段により前記画像データが取得されたときに、前記識別情報取得手段に前記識別情報を取得させる第１の識別情報取得制御手段と、
前記画像データ取得手段により取得された前記画像データと、当該画像データが取得されたときに前記第１の識別情報取得制御手段の制御により取得された前記識別情報と、を対応付けて記憶する画像データ記憶手段と、
前記画像データ記憶手段が前記画像データと前記識別情報とを対応付けて記憶した後の所定のタイミングにおいて、前記識別情報取得手段に前記識別情報を取得させる第２の識別情報取得制御手段と、
前記第２の識別情報取得制御手段の制御により取得された前記識別情報に対応付けられている画像データを、前記画像データ記憶手段に記憶されている前記画像データの中から検索する検索手段と、
前記検索手段により検索された画像データを表示部に表示させる表示制御手段と、
を備えることを特徴とする。【０００９】
本発明の第２の観点に係る携帯端末装置は、
少なくとも１の機器と無線通信する無線通信手段と、
前記無線通信手段により無線通信される機器の識別情報を取得する識別情報取得手段と、
被写体を撮影して画像データを取得する画像データ取得手段と、
前記画像データ取得手段により前記画像データが取得されたときに、前記識別情報取得手段に前記識別情報を取得させる第１の識別情報取得制御手段と、
前記画像データ取得手段により取得された前記画像データと、当該画像データが取得されたときに前記第１の識別情報取得制御手段の制御により取得された前記識別情報と、を対応付けて記憶する画像データ記憶手段と、
前記画像データ記憶手段が前記画像データと前記識別情報とを対応付けて記憶した後の所定のタイミングにおいて、前記識別情報取得手段に前記識別情報を取得させる第２の識別情報取得制御手段と、
前記第２の識別情報取得制御手段の制御により取得された前記識別情報に対応付けられている画像データを、前記画像データ記憶手段に記憶されている前記画像データの中から検索する検索手段と、
前記検索手段により検索された画像データを表示部に表示させる表示制御手段と、
を備えることを特徴とする。【００１０】
本発明の第３の観点に係る画像表示システムは、
複数の携帯端末装置と、デジタルカメラと、を備え、前記複数の携帯端末装置のうちの１の携帯端末装置である主携帯端末装置が、少なくとも１の他の携帯端末装置及び前記デジタルカメラと無線通信により接続された画像表示システムであって、
前記主携帯端末装置は、
前記少なくとも１の他の携帯端末装置及び前記デジタルカメラと無線通信する無線通信手段と、
前記無線通信手段により無線通信される携帯端末装置の識別情報を取得する識別情報取得手段と、
前記無線通信手段により無線通信される前記デジタルカメラが撮影した画像データを取得する画像データ取得手段と、
前記画像データ取得手段により前記画像データが取得されたときに、前記識別情報取得手段に前記識別情報を取得させる第１の識別情報取得制御手段と、
前記画像データ取得手段により取得された前記画像データと、当該画像データが取得されたときに前記第１の識別情報取得制御手段の制御により取得された前記識別情報と、を対応付けて記憶する画像データ記憶手段と、
前記画像データ記憶手段が前記画像データと前記識別情報とを対応付けて記憶した後の所定のタイミングにおいて、前記識別情報取得手段に前記識別情報を取得させる第２の識別情報取得制御手段と、
前記第２の識別情報取得制御手段の制御により取得された前記識別情報に対応付けられている画像データを、前記画像データ記憶手段に記憶されている前記画像データの中から検索する検索手段と、
前記検索手段により検索された画像データを表示部に表示させる表示制御手段と、
を備えることを特徴とする。【００１１】
本発明の第４の観点に係る画像表示方法は、
携帯端末装置が、該携帯端末装置と無線通信により接続される機器のうちの撮影機器が撮影した画像データを取得する画像データ取得工程と、
前記画像データ取得工程で前記画像データが取得されたときに、前記携帯端末装置が、該携帯端末装置と無線通信により接続される機器の識別情報を取得する第１の識別情報取得工程と、
前記携帯端末装置が、前記画像データ取得工程で取得された前記画像データと、当該画像データが取得されたときに前記第１の識別情報取得工程で取得された前記識別情報と、を対応付けて記憶部に記録する画像データ記録工程と、
前記画像データ記録工程で前記画像データと前記識別情報とを対応付けて前記記憶部に記録した後の所定のタイミングにおいて、前記携帯端末装置が、該携帯端末装置と無線通信により接続される機器の前記識別情報を取得する第２の識別情報取得工程と、
前記携帯端末装置が、前記第２の識別情報取得工程で取得された前記識別情報に対応付けられている画像データを、前記画像データ記録工程で前記記憶部に記録された前記画像データの中から検索する検索工程と、
前記携帯端末装置が、前記検索工程で検索された画像データを表示部に表示させる表示制御工程と、
を備えることを特徴とする。【００１２】
本発明の第５の観点に係るコンピュータ読み取り可能な記録媒体は、
コンピュータを、
少なくとも１の機器と無線通信する無線通信手段、
前記無線通信手段により無線通信される機器の識別情報を取得する識別情報取得手段、
前記無線通信手段により無線通信される機器のうちの撮影機器が撮影した画像データを取得する画像データ取得手段、
前記画像データ取得手段により前記画像データが取得されたときに、前記識別情報取得手段に前記識別情報を取得させる第１の識別情報取得制御手段、
前記画像データ取得手段により取得された前記画像データと、当該画像データが取得されたときに前記第１の識別情報取得制御手段の制御により取得された前記識別情報と、を対応付けて記憶する画像データ記憶手段、
前記画像データ記憶手段が前記画像データと前記識別情報とを対応付けて記憶した後の所定のタイミングにおいて、前記識別情報取得手段に前記識別情報を取得させる第２の識別情報取得制御手段、
前記第２の識別情報取得制御手段の制御により取得された前記識別情報に対応付けられている画像データを、前記画像データ記憶手段に記憶されている前記画像データの中から検索する検索手段と、
前記検索手段により検索された画像データを表示部に表示させる表示制御手段、
として機能させるためのプログラムを記録している。
【発明の効果】
【００１３】
本発明によれば、ユーザは、撮影された画像の中から所望の画像をより容易に検索することができる。
【図面の簡単な説明】
【００１４】
【図１】本発明の実施形態に係る画像表示システムの構成の一例を示す図である。
【図２】携帯電話の構成の一例を示すブロック図である。
【図３】デジタルカメラの構成の一例を示すブロック図である。
【図４】デジタルフォトフレームの構成の一例を示すブロック図である。
【図５】携帯電話における端末ＩＤ取得処理の動作の一例を示すフローチャートである。
【図６】携帯電話における画像保存処理の動作の一例を示すフローチャートである。
【図７】携帯電話における画像表示処理の動作の一例を示すフローチャートである。
【図８】携帯電話の機能的な構成の一例を示すブロック図である。
【図９】画像データと識別情報とを対応付けて記憶する画像データ記憶部のデータ構造例を示す図である。
【発明を実施するための形態】
【００１５】
以下、本発明の実施形態に係る画像表示システム１００について、図面を参照しながら説明する。
図１は、画像表示システム１００の構成の一例を示す図である。
図１に示すように、画像表示システム１００は、携帯端末装置（通信装置）としての携帯電話１、２、及び３と、デジタルカメラ４と、デジタルフォトフレーム５と、を備える。携帯電話１は、携帯電話２及び３、デジタルカメラ４、並びにデジタルフォトフレーム５と、近距離の無線通信により接続されている。
以下では、画像表示システム１００が、近距離の無線通信の一例である無線ＬＡＮ（Local Area Network）により接続されている場合を説明する。また、画像表示システム１００においては、携帯電話１〜３のうちの携帯電話１が、無線ＬＡＮアクセスポイント（ＷＬＡＮ＿ＡＰ）として機能する。
【００１６】
図２は、携帯電話１〜３の構成の一例を示すブロック図である。
図２に示すように、携帯電話１〜３は、制御部１１、記憶部１２、操作部１３、表示部１４、無線通信部１５、撮像部１６、音声出力部１７、音声入力部１８、携帯電話網通信部１９、バス２０を備える。
【００１７】
制御部１１は、マイクロプロセッサユニット等から構成される。制御部１１は、携帯電話１〜３のそれぞれの全体の動作を制御する。
特に、携帯電話１の制御部１１は、無線ＬＡＮのアクセスポイント機能、及びルーター機能を実現するための制御を行う。即ち、携帯電話１の制御部１１は、本発明の実施形態に特有な動作である、後述する図５〜図７に示す処理を実行する。
【００１８】
記憶部１２は、各種のデータを記憶する。記憶部１２は、ワークエリアとなるＲＡＭ（Random Access Memory）や携帯電話１〜３の動作プログラムを格納するＲＯＭ（Read Only Memory）などから構成される。また、記憶部１２は、携帯電話１〜３に内蔵されている内部メモリ、携帯電話１〜３から取り外し可能な外部メモリ、のいずれから構成されてもよい。
特に、携帯電話１の記憶部１２は、無線ＬＡＮのアクセスポイント機能、及びルーター機能を実現するためのプログラムを格納する。即ち、携帯電話１の記憶部１２は、後述する図５〜図７に示す処理に対応したプログラムを格納する。
【００１９】
操作部１３は、携帯電話１〜３の外面に設けられるキーボード、カーソルキー等から構成される。操作部１３は、キーボード、カーソルキー等の操作に対応した操作信号を制御部１１に入力する。
【００２０】
表示部１４は、表示パネル、ドライバ回路等から構成される。表示パネルは、ドットマトリクスタイプのＬＣＤ（液晶表示:Liquid Crystal Display）パネル等から構成される。表示部１４は、制御部１１の制御下にて、画像を表示パネルに表示する。
【００２１】
無線通信部１５は、無線ＬＡＮ（ＷＬＡＮ）を介して外部の装置と通信する。具体的には、この無線通信部１５により、携帯電話１〜３は互いに接続される。また、携帯電話１は、無線通信部１５によりデジタルカメラ４及びデジタルフォトフレーム５と接続される。
【００２２】
撮像部１６は、レンズ、シャッター、撮像素子、アナログ−デジタル変換器などから構成される。撮像素子は、ＣＣＤ（Charge Coupled Device）やＣＭＯＳ（Complementary Metal Oxide Semiconductor）などである。アナログ−デジタル変換器は、撮像素子により光電変換された電気信号（アナログ信号）をデジタルデータに変換する。
制御部１１からの撮像画像の記憶を指示する信号に基づき、撮像部１６は、被写体画像を撮像する。撮像された画像は記憶部１２に記憶される。
なお、撮像部１６は、動画を撮像可能であってもよい。また、デジタルカメラ４のみに画像を撮像させる場合には、携帯電話１〜３は撮像部１６を備えていなくてもよい。
【００２３】
音声出力部１７は、スピーカ、ＤＡＣ（Digital Analog Converter）等から構成される。音声出力部１７は、例えば、携帯電話網通信部１９が受信した音声信号にＤＡ変換を施し、スピーカから音声を出力する。
音声入力部１８は、通話時等に、音声信号を収集し、携帯電話網通信部１９に供給する。
携帯電話網通信部１９は、携帯電話網の基地局を介して、外部の装置との間で、通話音声、各種のデータ等を送受信する。
バス２０は、携帯電話１〜３内の各部が相互にデータを伝送するために用いられる。
【００２４】
図３は、デジタルカメラ４の構成の一例を示すブロック図である。
図３に示すように、デジタルカメラ４は、制御部４１、記憶部４２、操作部４３、表示部４４、無線通信部４５、撮像部４６、バス４７を備える。
【００２５】
制御部４１は、マイクロプロセッサユニット等から構成される。制御部４１は、デジタルカメラ４の全体の動作を制御する。
具体的には、制御部４１の制御下にて、操作部４３に含まれる例えばシャッターキーの操作に応答して、撮像部４６が、撮像を行い、画像データを生成する。そして、生成された画像データは、記憶部４２に格納される。
【００２６】
記憶部４２は、各種のデータを記憶する。記憶部４２は、ワークエリアとなるＲＡＭ（Random Access Memory）やデジタルカメラ４の動作プログラムを格納するＲＯＭ（Read Only Memory）などから構成される。また、記憶部４２は、デジタルカメラ４に内蔵されている内部メモリ、デジタルカメラ４から取り外し可能な外部メモリ、のいずれから構成されてもよい。
【００２７】
操作部４３は、デジタルカメラ４の外面に設けられるシャッターキー、カーソルキー等から構成される。操作部４３は、シャッターキー、カーソルキー等の操作に対応した操作信号を制御部４１に入力する。
【００２８】
表示部４４は、表示パネル、ドライバ回路等から構成される。表示パネルは、ドットマトリクスタイプのＬＣＤ（液晶表示:Liquid Crystal Display）パネル等から構成される。表示部４４は、制御部４１の制御下にて、撮影された画像データ等を表示パネルに表示する。
【００２９】
無線通信部４５は、無線ＬＡＮ（ＷＬＡＮ）を介して外部の装置と通信する。具体的には、デジタルカメラ４は、無線通信部４５により携帯電話１やデジタルフォトフレーム５等と接続される。
【００３０】
撮像部４６は、レンズ、シャッター、撮像素子、アナログ−デジタル変換器などから構成される。撮像素子は、ＣＣＤ（Charge Coupled Device）やＣＭＯＳ（Complementary Metal Oxide Semiconductor）などである。アナログ−デジタル変換器は、撮像素子により光電変換された電気信号（アナログ信号）をデジタルデータに変換する。
制御部４１からの撮像画像の記憶を指示する信号に基づき、撮像部４６は、被写体画像を撮像する。撮像された画像は記憶部４２に記憶される。なお、撮像部４６は、動画を撮像可能であってもよい。
バス４７は、デジタルカメラ４内の各部が相互にデータを伝送するために用いられる。
【００３１】
このように、デジタルカメラ４は、無線ＬＡＮによる無線通信機能を持ったデジタルカメラである。
【００３２】
図４は、デジタルフォトフレーム５の構成の一例を示すブロック図である。
図４に示すように、デジタルフォトフレーム５は、制御部５１、記憶部５２、操作部５３、表示部５４、無線通信部５５、バス５６を備える。
【００３３】
制御部５１は、マイクロプロセッサユニット等から構成される。制御部５１は、デジタルフォトフレーム５の全体の動作を制御する。
特に、制御部５１は、デジタルフォトフレーム５の表示機能を制御する。具体的には、制御部５１は、記憶部５２に格納されている画像データや、無線通信部５５によって受信された画像データを表示部５４に表示させる。例えば、制御部５１は、ユーザの設定に応じて、複数枚の画像データを順番に表示させるスライドショー表示をするようにしてもよい。
【００３４】
記憶部５２は、各種の画像データなどを記憶する。記憶部５２は、ワークエリアとなるＲＡＭ（Random Access Memory）やデジタルフォトフレーム５の動作プログラムを格納するＲＯＭ（Read Only Memory）などから構成される。また、記憶部５２は、デジタルフォトフレーム５に内蔵されている内部メモリ、デジタルフォトフレーム５から取り外し可能な外部メモリ、のいずれから構成されてもよい。
【００３５】
操作部５３は、デジタルフォトフレーム５の外面に設けられる操作ボタン等から構成される。操作部５３は、操作ボタン等の操作に対応した操作信号を制御部５１に入力する。
【００３６】
表示部５４は、表示パネル、ドライバ回路等から構成される。表示パネルは、ドットマトリクスタイプのＬＣＤ（液晶表示:Liquid Crystal Display）パネル等から構成される。表示部５４は、制御部５１の制御下にて、記憶部５２に記憶されている画像データ等を表示パネルに表示する。
【００３７】
無線通信部５５は、無線ＬＡＮ（ＷＬＡＮ）を介して外部の装置と通信する。具体的には、デジタルフォトフレーム５は、無線通信部５５により携帯電話１やデジタルカメラ４等と接続される。
バス５６は、デジタルフォトフレーム５内の各部が相互にデータを伝送するために用いられる。
【００３８】
次に、上記構成の画像表示システム１００の動作を、携帯電話１の動作を中心に、図５〜７を参照して説明する。
【００３９】
携帯電話１の制御部１１は、所定の周期で、図５に示す端末ＩＤ取得処理を実行する。
端末ＩＤ取得処理では、先ず、制御部１１は、無線ＬＡＮのアクセスポイント機能を実現するためのプログラムを実行し、無線通信部１５を用いて無線ＬＡＮを介してクライアント端末と接続する（ステップＳ１０１）。
ここでいうクライアント端末とは、携帯電話１の周辺に位置する携帯電話２や携帯電話３などである。ここで、無線通信部１５を用いた通信範囲は例えば、数メートルなどの比較的近い距離とする。
【００４０】
続いて、制御部１１は、ステップＳ１０１で接続したクライアント端末の端末ＩＤ（例えばＭＡＣアドレス）を特定し、記憶部１２の所定領域に保持する（ステップＳ１０２）。
端末ＩＤ取得処理は所定の周期で実行されるため、記憶部１２に保持される端末ＩＤは順次更新される。このため、端末ＩＤ取得処理が実行されたときに携帯電話１の周辺に位置するクライアント端末（携帯電話）の端末ＩＤが、記憶部１２に保持される。
なお、図１の例では、クライアント端末として携帯電話２及び携帯電話３が示されている。しかし、この他にクライアント端末があってよい。この他にクライアント端末がある場合は、そのクライアント端末の端末ＩＤも記憶部１２に保持される。
ステップＳ１０２の処理の後、制御部１１は端末ＩＤ取得処理を終了する。
【００４１】
デジタルカメラ４は、撮像部４６により画像データが撮像されると、その画像データを携帯電話１に送信する。デジタルカメラ４のこのような機能は、例えばデジタルカメラ４に画像表示システム１００の機能を使用するための設定がされている場合などに、実行される。例えば、無線ＬＡＮにおける携帯電話１のネットワークアドレスがデジタルカメラ４の記憶部４２などにセットされていれば、デジタルカメラ４は無線ＬＡＮを介して携帯電話１に画像データを送信することができる。
【００４２】
携帯電話１は、デジタルカメラ４により送信される画像データを、記憶部１２に保存する。このために、携帯電話１の制御部１１は、デジタルカメラ４から送信される画像データを検出可能な所定の周期で、図６に示す画像保存処理を実行する。
画像保存処理では、制御部１１は、デジタルカメラ４から画像データを受信したか否かを判別する（ステップＳ２０１）。この際、制御部１１は、無線通信部１５を用いて無線ＬＡＮを介してデジタルカメラ４と接続する。なお、ここでも、図５のステップＳ１０１と同様に、無線通信部１５を用いた通信範囲は例えば、数メートルなどの比較的近い距離とする。
デジタルカメラ４から画像データを受信しなければ（ステップＳ２０１；Ｎｏ）、制御部１１は画像保存処理を終了する。
【００４３】
デジタルカメラ４から画像データを受信すれば（ステップＳ２０１；Ｙｅｓ）、制御部１１は、その画像データを上述の図５の端末ＩＤ取得処理において順次更新されて記憶部１２に保持されている端末ＩＤと対応付けて、記憶部１２の所定領域に記憶する（ステップＳ２０２）。ここでは、画像データは、更に携帯電話１の端末ＩＤも対応付けられて記憶されてもよい。
その後、制御部１１は画像保存処理を終了する。
【００４４】
この画像保存処理では、デジタルカメラ４で画像データが撮像されたときに、その画像データが、無線ＬＡＮアクセスポイントとして機能する携帯電話１の比較的近くに位置するクライアント端末の端末ＩＤと対応付けられて保存される。これは、その画像データには、撮像時にデジタルカメラ４の近くにあったクライアント端末のユーザが写っている可能性が高いことを考慮している。即ち、画像データとその画像データに写っている可能性が高いユーザの識別情報とが対応付けて記憶される。そのため、上述の、比較的近い距離として説明した通信範囲は、画像データに写っている可能性が高い範囲とされる。このような範囲はユーザが予め設定可能であってもよい。
【００４５】
続いて、図６の画像保存処理で保存された画像データを表示するための画像表示処理について説明する。図７に示す画像表示処理は、画像保存処理で画像データが保存された後の所定のタイミングで実行されればよい。例えば、携帯電話１の操作部１３において所定の操作がなされたことに応答して実行されるようにしてもよい。
【００４６】
画像表示処理では、制御部１１は、先ず、無線通信部１５を用いて無線ＬＡＮを介してクライアント端末と接続する（ステップＳ３０１）。そして、制御部１１は、接続したクライアント端末の端末ＩＤを特定する（ステップＳ３０２）。
【００４７】
続いて、制御部１１は、ステップＳ３０２で特定した端末ＩＤと、記憶部１２内の画像データに対応付けられている端末ＩＤと、を比較し、端末ＩＤが一致する画像データが記憶部１２にあるか否かを判別する（ステップＳ３０３）。ここの一致は一部一致でも完全一致でもよい。端末ＩＤが一致する画像データが無ければ（ステップＳ３０３；Ｎｏ）、制御部１１は画像表示処理を終了する。
【００４８】
端末ＩＤが一致する画像データがあれば（ステップＳ３０３；Ｙｅｓ）、制御部１１は、その画像データをデジタルフォトフレーム５に送信して、画像データをデジタルフォトフレーム５に表示させる制御を行う（ステップＳ３０４）。その後、制御部１１は画像表示処理を終了する。なお、端末ＩＤが一致する画像データが複数であれば、制御部１１は複数の画像データをスライドショー表示させるようにしてもよい。
【００４９】
このように、画像表示処理では、画像データが記憶部１２に記憶されたのとは異なるタイミングにおいて、携帯電話１の付近に位置するクライアント端末（そのクライアント端末を所有するユーザ）を判別し、そのユーザが写っている可能性が高い画像データをデジタルフォトフレーム５に表示させるようにしている。このようにすることで、所望の画像データ（例えば、自分及び近くにいる人が写っている画像データ）を検索する手間や時間を大幅に短縮することができる。
【００５０】
なお、この発明は上記実施形態に限定されず、種々の変形及び応用が可能である。上記実施の形態では、デジタルカメラ４で撮像した画像データを表示する例について説明したが、携帯電話１で撮像した画像データを表示するようにしてもよい。この場合、画像表示システム１００においてデジタルカメラ４は不要となる。
【００５１】
また、上記実施形態では、デジタルカメラ４で撮像した画像データを端末ＩＤと対応付けて、携帯電話１の記憶部１２に記憶するようにしていたが、デジタルカメラ４の記憶部４２に記憶するようにしてもよい。
【００５２】
また、上記実施形態では、デジタルフォトフレーム５に画像データを表示させるようにしていたが、デジタルデータの表示機能を持つものであればどのような装置でもよい。例えば、テレビやモニターなどの他、所定の携帯電話などの端末装置の表示画面に表示させるようにしてもよい。
【００５３】
また、上記実施形態では、画像データ（静止画）を表示させる例について説明したが、画像データの代わりに映像データ（動画）や音楽を再生させるものであってもよい。
【００５４】
上記実施形態では、１の携帯端末装置としての携帯電話１に図５〜図７に示したフローチャートの機能を実装したが、例えば、その様な機能を有する装置は専用の装置であってもよく、その様な機能を有する装置を車などに内蔵させてもよい。
【００５５】
上記実施形態では、制御部が実行するプログラムは、予め記憶部に格納されているものとして説明したが、外部記憶媒体や通信網を介して記憶部に格納されるものであってもよい。
【００５６】
例えば、上記実施形態において、携帯電話１の記憶部１２に記憶されているプログラムを、フレキシブルディスク、ＣＤ−ＲＯＭ（Compact Disk Read-Only Memory）、ＤＶＤ（Digital Versatile Disk）、ＭＯ（Magneto-Optical disk）等のコンピュータ読み取り可能な記録媒体に格納して配布し、そのプログラムをコンピュータにインストールすることにより、上述の機能を実現する装置を構成することができる。
【００５７】
また、プログラムをインターネット等の通信ネットワーク上の所定のサーバ装置が有するディスク装置等に格納しておき、例えば、搬送波に重畳させて、コンピュータにダウンロード等するようにしてもよい。
【００５８】
また、通信ネットワークを介してプログラムを転送しながら起動実行することによっても、上述の機能を達成することができる。
更に、プログラムの全部又は一部をサーバ装置上で実行させ、その処理に関する情報をコンピュータが通信ネットワークを介して送受信しながらプログラムを実行することによっても、上述の機能を達成することができる。
【００５９】
なお、上述の機能を、ＯＳ（Operating System）が分担して実現する場合又はＯＳとアプリケーションとの協働により実現する場合等には、ＯＳ以外の部分のみを媒体に格納して配布してもよく、また、コンピュータにダウンロード等してもよい。
【００６０】
ここで、無線ＬＡＮのアクセスポイントとして動作する携帯電話１の機能的な構成を説明する。なお、以下では、無線ＬＡＮのアクセスポイントとし機能する携帯電話１を主携帯電話と称し、他の携帯電話２、３と区別する場合がある。
図８は、携帯電話１の機能的な構成の一例を示すブロック図である。なお、図８において、既に説明した構成と同一の部分には同一の符号を付してその説明を省略する。
【００６１】
図８に示すように、携帯電話１は、無線通信部１５と、識別情報取得部１０１と、画像データ取得部１０２と、第１識別情報取得制御部１０３と、画像データ記憶部１０４と、第２識別情報取得制御部１０５と、検索部１０６と、表示制御部１０７と、を備えている。ここで、識別情報取得部１０１と、画像データ取得部１０２と、第１識別情報取得制御部１０３と、画像データ記憶部１０４と、第２識別情報取得制御部１０５と、検索部１０６と、表示制御部１０７と、は、携帯電話１の制御部１１の動作により実現される機能的な構成である。
【００６２】
無線通信部１５は、図２に示した無線通信部であり、少なくとも１の機器と無線通信する。ここで、機器には、携帯電話２、３等の他の携帯電話、デジタルカメラ４、デジタルフォトフレーム５が含まれる。
【００６３】
携帯電話１は、無線通信部１５を用いて無線ＬＡＮを介して携帯電話１の周辺に位置する機器と通信を行う。主携帯電話である携帯電話１は、他の機器との間の無線ＬＡＮに関する接続設定を行う。携帯電話１は、例えば、無線ＬＡＮの電波の到達範囲が数メートルの範囲となるよう無線出力を調整する。この調整により無線ＬＡＮの通信範囲が制限され、携帯電話１から比較的近い距離に存在する機器が、携帯電話１と無線ＬＡＮで接続される。このように調整された無線ＬＡＮの設定情報は、例えば、予め記憶部１２に記憶されている。
【００６４】
識別情報取得部１０１は、無線通信部１５により無線通信される機器の識別情報を取得する。
画像データ取得部１０２は、無線通信部１５により無線通信される機器のうちの撮影機器であるデジタルカメラ４が撮影した画像データを取得する。なお、画像データ取得部１０２は、携帯電話１の撮像部１６を用いて被写体を撮影して画像データを取得してもよい。
【００６５】
第１識別情報取得制御部１０３は、画像データ取得部１０２により画像データが取得されたときに、識別情報取得部１０１に識別情報を取得させる。具体的には、第１識別情報取得制御部１０３は、画像データ取得部１０２から、画像データを取得したことを示す信号を受信すると、識別情報取得部１０１に識別情報の取得を指示する信号を送信する。これにより、携帯電話１の無線ＬＡＮの通信範囲内のデジタルカメラ４で撮影が行われたときに、携帯電話１は、携帯電話１の無線ＬＡＮの通信範囲内の他の携帯電話の識別情報である端末ＩＤを取得する。
【００６６】
画像データ記憶部１０４は、画像データ取得部１０２により取得された画像データと、その画像データが取得されたときに第１識別情報取得制御部１０３の制御により取得された識別情報と、を対応付けて記憶する。この画像データ記憶部１０４の機能は、制御部１１と記憶部１２により実現される。具体的には、制御部１１が、画像データ取得部１０２により取得された画像データと、その画像データが取得されたときに第１識別情報取得制御部１０３の制御下で識別情報取得部１０１により取得された識別情報と、を対応付けて、記憶部１２に記録する。
なお、互いに対応付けられた画像データと識別情報とが、デジタルカメラ４の記憶領域に記憶されるようにしてもよい。
【００６７】
図９は、画像データと識別情報とを対応付けて記憶する画像データ記憶部１０４のデータ構造例を示す図である。
図９に示すように、画像データ記憶部１０４においては、デジタルカメラ４で撮影された画像データが、撮影時に携帯電話１の無線ＬＡＮの通信範囲内にあった携帯電話の識別情報である端末ＩＤと対応付けられて記憶される。
【００６８】
第２識別情報取得制御部１０５は、画像データ記憶部１０４が画像データと識別情報とを対応付けて記憶した後の所定のタイミングにおいて、識別情報取得部１０１に識別情報を取得させる。例えば、ユーザが操作部１３を操作して画像データ記憶部１０４に記憶されている画像データの検索を指示すると、その操作が受け付けられたタイミングにおいて、第２識別情報取得制御部１０５は、識別情報取得部１０１に識別情報の取得を指示する信号を送信する。これにより、検索が指示されたときに、携帯電話１は、携帯電話１の無線ＬＡＮの通信範囲内の他の携帯電話の識別情報である端末ＩＤを取得する。
【００６９】
検索部１０６は、第２識別情報取得制御部１０５の制御により取得された識別情報に対応付けられている画像データを、画像データ記憶部１０４に記憶されている画像データの中から検索する。具体的には、検索部１０６は、識別情報取得部１０１から第２識別情報取得制御部１０５の制御下で取得された識別情報を受け取ると、受け取った識別情報と、画像データ記憶部１０４に記憶されている画像データに対応付けられている識別情報と、比較する。そして、検索部１０６は、識別情報取得部１０１から受け取った識別情報に対応付けられている画像データを画像データ記憶部１０４から読み出す。
【００７０】
例えば、画像データ記憶部１０４が図９に例示した情報を記憶している場合に、検索時に携帯電話１の無線ＬＡＮの通信範囲内に端末ＩＤが「１００２」及び「１００３」の携帯電話が存在していれば、検索部１０６は、端末ＩＤ「１００２」及び「１００３」に対応付けられている画像Ｂと画像Ｄとを画像データ記憶部１０４から読み出す。
【００７１】
表示制御部１０７は、検索部１０６により検索された画像データを表示部１４に表示させる。このような表示により、画像データ記憶部１０４に記憶されている複数の画像データのうち、検索時に携帯電話１の近くにある他の携帯電話の所持者が写っている可能性の高い画像データだけが表示され、携帯電話１のユーザの近くにいる者に関係ない画像が表示されることがなくなる。
【００７２】
なお、上述したように表示部１４に画像データを表示させる場合には、図１に例示した画像表示システム１００は、デジタルフォトフレーム５を備えていなくてもよい。そして、携帯電話１は、少なくとも１の他の携帯電話と、デジタルカメラ４と、無線通信により接続される。
【００７３】
また、表示制御部１０７は、画像データを、無線通信部１５により無線通信される機器のうちの表示機器であるデジタルフォトフレーム５に送信し、デジタルフォトフレーム５において画像データを表示させてもよい。この場合には、携帯電話１は、デジタルフォトフレーム５と無線通信により接続され、デジタルフォトフレーム５が備える表示部５４に画像データが表示される。
【００７４】
以上説明した機能的構成の携帯電話１を含む画像表示システム１００においては、主携帯電話である携帯電話１が、携帯電話１の所定の範囲内に存在するデジタルカメラ４が画像を撮像すると、デジタルカメラ４から無線通信により画像データを取得する。携帯電話１は、画像データを取得すると、携帯電話１の所定の範囲内に存在する携帯電話の端末ＩＤを無線通信により取得する。携帯電話１は、取得した画像データと、画像データ取得時に取得した端末ＩＤと、を関連付けて記憶部１２に記録する。続いて、携帯電話１は、ユーザからの画像データの検索指示の入力を受け付け、検索指示が入力されると、そのときに携帯電話１の所定の範囲内に存在している携帯電話の端末ＩＤを無線通信により取得する。そして、携帯電話１は、記憶部１２に記録されている画像データの中から、検索指示入力時に取得した端末ＩＤに関連付けられている画像データを抽出する。
【００７５】
従って、本実施形態に係る画像表示システム１００によれば、ユーザは、複数の画像データの中から、携帯電話１の近くにある他の携帯電話の所持者が写っている可能性の高い画像データを抽出することができ、撮影された画像の中から所望の画像をより容易に検索することができる。
【００７６】
本出願は、２００８年１１月２６日に出願された日本国特許出願２００８−３００５３９号を基礎とする優先権を主張するものであり、その明細書、特許請求の範囲、図面及び要約書を含むものである。日本国特許出願２００８−３００５３９号における開示は、その全体が本明細書中に参照として含まれる。
【００７７】
なお、本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【符号の説明】
【００７８】
１〜３  携帯電話
４  デジタルカメラ
５  デジタルフォトフレーム
１１、４１、５１  制御部
１２、４２、５２  記憶部
１３、４３、５３  操作部
１４、４４、５４  表示部
１５、４５、５５  無線通信部
１６、４６  撮像部
１７  音声出力部
１８  音声入力部
１９  携帯電話網通信部
２０、４７、５６  バス
１００  画像表示システム
１０１  識別情報取得部
１０２  画像データ取得部
１０３  第１識別情報取得制御部
１０４  画像データ記憶部
１０５  第２識別情報取得制御部
１０６  検索部
１０７  表示制御部
【図１】
2010061889.tif 000003
【図２】
2010061889.tif 000004
【図３】
2010061889.tif 000005
【図４】
2010061889.tif 000006
【図５】
2010061889.tif 000007
【図６】
2010061889.tif 000008
【図７】
2010061889.tif 000009
【図８】
2010061889.tif 000010
【図９】
2010061889.tif 000011
【手続補正書】
【提出日】平成23年3月10日(2011.3.10)
【手続補正１】
【補正対象書類名】特許請求の範囲
【補正対象項目名】全文
【補正方法】変更
【補正の内容】
【特許請求の範囲】
【請求項１】
少なくとも１の機器と無線通信する無線通信手段と、
前記無線通信手段により無線通信される機器の識別情報を取得する識別情報取得手段と、
前記無線通信手段により無線通信される機器のうちの撮影機器が撮影した画像データを取得する画像データ取得手段と、
前記画像データ取得手段により前記画像データが取得されたときに、前記識別情報取得手段に前記識別情報を取得させる第１の識別情報取得制御手段と、
前記画像データ取得手段により取得された前記画像データと、当該画像データが取得されたときに前記第１の識別情報取得制御手段の制御により取得された前記識別情報と、を対応付けて記憶する画像データ記憶手段と、
前記画像データ記憶手段が前記画像データと前記識別情報とを対応付けて記憶した後の所定のタイミングにおいて、前記識別情報取得手段に前記識別情報を取得させる第２の識別情報取得制御手段と、
前記第２の識別情報取得制御手段の制御により取得された前記識別情報に対応付けられている画像データを、前記画像データ記憶手段に記憶されている前記画像データの中から検索する検索手段と、
前記検索手段により検索された画像データを表示部に表示させる表示制御手段と、
を備えることを特徴とする携帯端末装置。
【請求項２】
前記無線通信手段により無線通信される機器のうちの表示機器が、前記表示部を含み、
前記表示制御手段は、前記画像データを、前記表示機器に送信し、当該表示機器において当該画像データを表示させる、
ことを特徴とする請求項１に記載の携帯端末装置。
【請求項３】
ユーザの操作を受け付ける操作手段をさらに備え、
前記第２の識別情報取得制御手段は、前記操作手段により所定の操作が受け付けられたタイミングにおいて、前記識別情報取得手段に前記識別情報を取得させる、
ことを特徴とする請求項１に記載の携帯端末装置。
【請求項４】
少なくとも１の機器と無線通信する無線通信手段と、
前記無線通信手段により無線通信される機器の識別情報を取得する識別情報取得手段と、
被写体を撮影して画像データを取得する画像データ取得手段と、
前記画像データ取得手段により前記画像データが取得されたときに、前記識別情報取得手段に前記識別情報を取得させる第１の識別情報取得制御手段と、
前記画像データ取得手段により取得された前記画像データと、当該画像データが取得されたときに前記第１の識別情報取得制御手段の制御により取得された前記識別情報と、を対応付けて記憶する画像データ記憶手段と、
前記画像データ記憶手段が前記画像データと前記識別情報とを対応付けて記憶した後の所定のタイミングにおいて、前記識別情報取得手段に前記識別情報を取得させる第２の識別情報取得制御手段と、
前記第２の識別情報取得制御手段の制御により取得された前記識別情報に対応付けられている画像データを、前記画像データ記憶手段に記憶されている前記画像データの中から検索する検索手段と、
前記検索手段により検索された画像データを表示部に表示させる表示制御手段と、
を備えることを特徴とする携帯端末装置。
【請求項５】
複数の携帯端末装置と、デジタルカメラと、を備え、前記複数の携帯端末装置のうちの１の携帯端末装置である主携帯端末装置が、少なくとも１の他の携帯端末装置及び前記デジタルカメラと無線通信により接続された画像表示システムであって、
前記主携帯端末装置は、
前記少なくとも１の他の携帯端末装置及び前記デジタルカメラと無線通信する無線通信手段と、
前記無線通信手段により無線通信される携帯端末装置の識別情報を取得する識別情報取得手段と、
前記無線通信手段により無線通信される前記デジタルカメラが撮影した画像データを取得する画像データ取得手段と、
前記画像データ取得手段により前記画像データが取得されたときに、前記識別情報取得手段に前記識別情報を取得させる第１の識別情報取得制御手段と、
前記画像データ取得手段により取得された前記画像データと、当該画像データが取得されたときに前記第１の識別情報取得制御手段の制御により取得された前記識別情報と、を対応付けて記憶する画像データ記憶手段と、
前記画像データ記憶手段が前記画像データと前記識別情報とを対応付けて記憶した後の所定のタイミングにおいて、前記識別情報取得手段に前記識別情報を取得させる第２の識別情報取得制御手段と、
前記第２の識別情報取得制御手段の制御により取得された前記識別情報に対応付けられている画像データを、前記画像データ記憶手段に記憶されている前記画像データの中から検索する検索手段と、
前記検索手段により検索された画像データを表示部に表示させる表示制御手段と、
を備えることを特徴とする画像表示システム。
【請求項６】
前記主携帯端末装置と無線通信により接続されるデジタルフォトフレームをさらに備え、
前記デジタルフォトフレームが、前記表示部を含み、
前記主携帯端末装置の表示制御手段は、前記画像データを前記デジタルフォトフレームに送信し、当該デジタルフォトフレームにおいて当該画像データを表示させる、
ことを特徴とする請求項５に記載の画像表示システム。
【請求項７】
前記主携帯端末装置の画像データ記憶手段が対応付けて記憶する前記画像データと前記識別情報とが、前記デジタルカメラの記憶領域に記憶される、
ことを特徴とする請求項５に記載の画像表示システム。
【請求項８】
携帯端末装置が、該携帯端末装置と無線通信により接続される機器のうちの撮影機器が撮影した画像データを取得する画像データ取得工程と、
前記画像データ取得工程で前記画像データが取得されたときに、前記携帯端末装置が、該携帯端末装置と無線通信により接続される機器の識別情報を取得する第１の識別情報取得工程と、
前記携帯端末装置が、前記画像データ取得工程で取得された前記画像データと、当該画像データが取得されたときに前記第１の識別情報取得工程で取得された前記識別情報と、を対応付けて記憶部に記録する画像データ記録工程と、
前記画像データ記録工程で前記画像データと前記識別情報とを対応付けて前記記憶部に記録した後の所定のタイミングにおいて、前記携帯端末装置が、該携帯端末装置と無線通信により接続される機器の前記識別情報を取得する第２の識別情報取得工程と、
前記携帯端末装置が、前記第２の識別情報取得工程で取得された前記識別情報に対応付けられている画像データを、前記画像データ記録工程で前記記憶部に記録された前記画像データの中から検索する検索工程と、
前記携帯端末装置が、前記検索工程で検索された画像データを表示部に表示させる表示制御工程と、
を備えることを特徴とする画像表示方法。
【請求項９】
コンピュータを、
少なくとも１の機器と無線通信する無線通信手段、
前記無線通信手段により無線通信される機器の識別情報を取得する識別情報取得手段、
前記無線通信手段により無線通信される機器のうちの撮影機器が撮影した画像データを取得する画像データ取得手段、
前記画像データ取得手段により前記画像データが取得されたときに、前記識別情報取得手段に前記識別情報を取得させる第１の識別情報取得制御手段、
前記画像データ取得手段により取得された前記画像データと、当該画像データが取得されたときに前記第１の識別情報取得制御手段の制御により取得された前記識別情報と、を対応付けて記憶する画像データ記憶手段、
前記画像データ記憶手段が前記画像データと前記識別情報とを対応付けて記憶した後の所定のタイミングにおいて、前記識別情報取得手段に前記識別情報を取得させる第２の識別情報取得制御手段、
前記第２の識別情報取得制御手段の制御により取得された前記識別情報に対応付けられている画像データを、前記画像データ記憶手段に記憶されている前記画像データの中から検索する検索手段と、
前記検索手段により検索された画像データを表示部に表示させる表示制御手段、
として機能させるためのプログラム。
【手続補正３】
【補正対象書類名】明細書
【補正対象項目名】０００１
【補正方法】変更
【補正の内容】
【０００１】
本発明は、携帯端末装置、画像表示システム、画像表示方法、及びプログラムに関する。
【手続補正４】
【補正対象書類名】明細書
【補正対象項目名】０００７
【補正方法】変更
【補正の内容】
【０００７】
本発明は、上記問題点に鑑みてなされたもので、ユーザが、撮影された画像の中から所望の画像をより容易に検索することができる携帯端末装置、画像表示システム、画像表示方法、及びプログラムを提供することを目的とする。
【手続補正５】
【補正対象書類名】明細書
【補正対象項目名】００１２
【補正方法】変更
【補正の内容】
【００１２】
本発明の第５の観点に係るプログラムは、
コンピュータを、
少なくとも１の機器と無線通信する無線通信手段、
前記無線通信手段により無線通信される機器の識別情報を取得する識別情報取得手段、
前記無線通信手段により無線通信される機器のうちの撮影機器が撮影した画像データを取得する画像データ取得手段、
前記画像データ取得手段により前記画像データが取得されたときに、前記識別情報取得手段に前記識別情報を取得させる第１の識別情報取得制御手段、
前記画像データ取得手段により取得された前記画像データと、当該画像データが取得されたときに前記第１の識別情報取得制御手段の制御により取得された前記識別情報と、を対応付けて記憶する画像データ記憶手段、
前記画像データ記憶手段が前記画像データと前記識別情報とを対応付けて記憶した後の所定のタイミングにおいて、前記識別情報取得手段に前記識別情報を取得させる第２の識別情報取得制御手段、
前記第２の識別情報取得制御手段の制御により取得された前記識別情報に対応付けられている画像データを、前記画像データ記憶手段に記憶されている前記画像データの中から検索する検索手段と、
前記検索手段により検索された画像データを表示部に表示させる表示制御手段、
として機能させる。
【国際調査報告】
2010061889.tif 000012
2010061889.tif 000013
2010061889.tif 000014
2010061889.tif 000015